(57)【要約】【課題】デザイン性を向上させつつ、紙材を表層剥離が生じないようにスムーズに切断でき、かつ紙材の強度も確保される引裂帯を提供する。【解決手段】多数の切目１３が断続する２本の切目列１２を並行させ、各切目１３を内向部１４から外辺部１５が延びるものとした紙材の引裂帯１１において、切目列１２の始端部分及び終端部分では、切目１３の外辺部１５に対する内向部１４の傾斜角αを小さく設定し、中間部分では、内向部１４の傾斜角βを大きく設定する。また、切目列１２の終端部分では、外辺部１５の長さＬを、始端部分及び中間部分での外辺部１５の長さＳよりも長く設定し、さらに、切出口に大きな摘み部１６を設ける。切目列１２の始端部分及び終端部分では、前後の切目１３間の繋部が短くなるので、紙材をスムーズに切断でき、中間部分では、前後の切目１３間の繋部が長くなるので、紙材の強度が確保される。【選択図】図２
2005178820.tif 000002
【特許請求の範囲】
【請求項１】
多数の切目が断続する２本の切目列を並行させ、各切目を内向部から外辺部が延びるものとした紙材の引裂帯において、外辺部に対する内向部の傾斜角を、切目列の部分によって変化させたことを特徴とする紙材の引裂帯。
【請求項２】
前記切目の外辺部に対する内向部の傾斜角を、切目列の始端部分では小さく設定し、中間部分では大きく設定したことを特徴とする請求項１に記載の紙材の引裂帯。
【請求項３】
前記内向部の傾斜角を、切目列の終端部分では再び小さく設定したことを特徴とする請求項２に記載の紙材の引裂帯。
【請求項４】
前記外辺部の長さを、切目列の終端部分では始端部分及び中間部分よりも長く設定したことを特徴とする請求項１乃至３のいずれかに記載の紙材の引裂帯。
【請求項５】
前記切目列の間隔を切出口で大きく設定し、摘み部を形成したことを特徴とする請求項１乃至４のいずれかに記載の紙材の引裂帯。
【発明の詳細な説明】
【技術分野】
【０００１】
この発明は、紙箱等の開封手段として使用される紙材の引裂帯に関するものである。
【背景技術】
【０００２】
例えば、写真プリント用紙を収納する包装箱として、図７に示すように、底板５１から前板５２及び一対の側板５３を起立させて折込片５５を折り込み、側板５３から折曲片５６を内側へ折り曲げて、底板５１から後板５４を起立させ、側板５３からフラップ５７を内側へ折り曲げ、前板５２から内蓋板５８を後方へ、後板５４から外蓋板５９を前方へそれぞれ折り曲げて封緘するものが使用されている。
【０００３】
外蓋板５９には、両側縁間に亘って引裂帯６１が設けられ、内蓋板５８と外蓋板５９とは、引裂帯６１の前方でホットメルト等の接着剤により貼り合わされる。引裂帯６１は、平行な２本の切目列６２により形成され、各切目列６２の切目６３は、内向部６４から外辺部６５が延びるものとされている。切目６３の形状及び大きさは、切目列６２の全長に亘って同一とされている。
【０００４】
この引裂帯６１を、始端側（この図では左奥側）から引き裂くと、各切目列６２において、手前の切目６３の外辺部６５の先端から内側へ逸れようとする裂目が次の切目６３の内向部６４に達し、並行する切目列６２間が千切れることなく、外蓋板５９を切断でき、外蓋板５９及び内蓋板５８を開くことができる。
【発明の開示】
【発明が解決しようとする課題】
【０００５】
ところで、上記包装箱では、外蓋板５９の先端角部が角張っていることから、内蓋板５８と外蓋板５９とを両端部付近まで強力に接着することができ、また、引裂帯６１の幅が１０ｍｍ〜１５ｍｍ程度と広くなっているので、引裂帯６１を引き裂く際、切断方向に力が加わりやすく、紙材は切目列６２に沿って捲れることなく切断される。
【０００６】
しかしながら、デザインを優先して、外蓋板５９の先端角部に丸みをもたせ、引裂帯６１の幅を７ｍｍ程度と狭くすると、内蓋板５８と外蓋板５９とを両端部まで接着することができなくなり、引裂帯６１を引き裂く際、外蓋板５９が浮き上がって所定の方向に力が加わらず、紙材に表層剥離が発生しやすくなるという問題がある。
【０００７】
また、引裂帯６１を引き裂きやすくするため、切目列６２の全ての切目６３において、外辺部６５に対する内向部６４の傾斜角を小さく設定すると、前後の切目６３間の繋部が短くなって紙材の強度が不足し、輸送中に外蓋板５９が破断してしまう恐れがある。
【０００８】
そこで、この発明は、デザイン性を向上させつつ、紙材を表層剥離が生じないようにスムーズに切断でき、かつ紙材の強度も確保される引裂帯を提供することを課題とする。
【課題を解決するための手段】
【０００９】
上記のような課題を解決するため、この発明は、多数の切目が断続する２本の切目列を並行させ、各切目を内向部から外辺部が延びるものとした紙材の引裂帯において、外辺部に対する内向部の傾斜角を、切目列の部分によって変化させ、始端部分では小さく、中間部分では大きく設定し、また、終端部分では再び小さく設定したのである。さらに、前記外辺部の長さを、終端部分では始端部分及び中間部分よりも長く設定し、前記切目列の間隔を切出口で大きく設定して、摘み部を形成したのである。
【発明の効果】
【００１０】
上記のように、切出口に大きな摘み部を設け、切目列の始端部分で内向部の傾斜角を小さく設定すると、この部分では前後の切目間の繋部が短くなるので、摘み部を摘んで紙材をスムーズに切断し始めることができ、中間部分で内向部の傾斜角を大きく設定すると、この部分では前後の切目間の繋部が長くなって、紙材の強度が確保され、終端部分で外辺部の長さを長く設定すると、切終わり時にも紙材をスムーズに切断することができる。
【発明を実施するための最良の形態】
【００１１】
以下、この発明の実施形態に係る引裂帯を備えた写真プリント用紙の包装箱について、図１乃至図６に基づいて説明する。
【００１２】
図１に示すように、この包装箱の板紙製ブランクは、底板１の周囲に前板２、一対の側板３及び後板４を連設し、前板２と側板３の前縁を折込片５を介して繋ぎ、側板３の後縁に折曲片６を連設し、側板３の端縁からフラップ７を、前板２の端縁から内蓋板８を、後板４の端縁から外蓋板９をそれぞれ延出した構成とされ、内蓋板８には再封緘用のスリット１０が、外蓋板９には開封用の引裂帯１１がそれぞれ設けられている。外蓋板９の先端角部は、デザイン性を考慮して、丸みを帯びるように切断されている。
【００１３】
上記引裂帯１１は、図２に示すように、並行する２本の切目列１２により形成され、各切目列１２の切目１３は、内向部１４から外辺部１５が延びるものとされている。この引裂帯１１の切出口となる左端では、切目列１２の間隔が扇状に広げられて、摘み部１６が形成され、その右方では、切目列１２の間隔が狭められて、平行となった２本の切目列１２の間隔が７ｍｍとなるように設定されている。
【００１４】
また、摘み部１６に続く切目列１２の始端部では、切目１３の外辺部１５に対する内向部１４の傾斜角αが２５°に設定され、外辺部１５の長さＳは５．５ｍｍに設定されている。切目列１２の中間部分では、内向部１４の傾斜角βが３５°に設定され、外辺部１５の長さＳは５．５ｍｍに設定されている。また、切目列１２の終端部分では、内向部１４の傾斜角αが２５°に設定され、外辺部１５の長さＬは７ｍｍに設定されている。
【００１５】
上記のようなブランクを写真プリント用紙の製造者に提供する際には、図１に示す状態から、底板１の内側に側板３を折り曲げて、折込片５の片側を前板２の裏面に貼り付けた状態にしておく。この状態では、ブランクの幅が狭くなり、嵩張ることなく保管できる。
【００１６】
そして、図３に示すように写真プリント用紙を包装する際には、底板１から前板２及び一対の側板３を折込片５を折り込みつつ起立させ、写真プリント用紙を底板１に置き、側板３から折曲片６を内側へ折り曲げて、底板１から後板４を起立させ、側板３からフラップ７を内側へ折り曲げ、前板２から内蓋板８を後方へ、後板４から外蓋板９を前方へそれぞれ折り曲げ、引裂帯１１の前方で内蓋板８と外蓋板９とを貼り合わせる。
【００１７】
このように封緘した包装箱においては、引裂帯１１をなす切目列１２の中間部分で切目１３の内向部１４の傾斜角を大きく設定し、この部分では前後の切目１３間の繋部が長くなるようにしているので、外蓋板９の紙材の強度が確保され、輸送中に切目列１２に沿って外蓋板９が破断してしまう現象が防止される。
【００１８】
また、引裂帯１１において、切出口に大きな摘み部１６を設け、これに続く切目列１２の始端部分で切目１３の内向部１４の傾斜角を小さく設定し、この始端部分では前後の切目１３間の繋部が短くなるようにしているので、図４に示すように、摘み部１６を摘んで外蓋板９をスムーズに切断し始めることができる。
【００１９】
そして、切目列１２の中間部分では、内向部１４の傾斜角を大きく設定し、前後の切目１３間の繋部が大きくなるようにしているので、切断に要する力がやや大きくなるが、この部分では、内蓋板８と外蓋板９とが強力に接着されているので、外蓋板９が浮き上がることがなく、所定の方向に確実に力が作用し、紙材が切目列１２に沿って切断される。
【００２０】
また、切目列１２の終端部分では、外辺部１５の長さを長く設定し、前後の切目１３間の繋部が少なくなるようにしているので、引裂帯１１を軽く引っ張るだけで、外蓋板９をスムーズに切断することができる。
【００２１】
このようにして、引裂帯１１を切除すると、紙材に表層剥離が生じることなく、図５に示すように、外蓋板９が切断され、外蓋板９及び内蓋板８を開くことができ、フラップ７も開くことができるので、箱の内部から写真プリント用紙を取り出すことができる。
【００２２】
また、余った写真プリント用紙を収納して保管しておく場合には、図６に示すように、フラップ７、内蓋板８及び外蓋板９を再度閉じ、外蓋板９の切断端部をスリット１０に差し込んで、包装箱を再封緘することができる。
【図面の簡単な説明】
【００２３】
【図１】この発明に係る引裂帯を備えた包装箱のブランクを示す図
【図２】同上の引裂帯の詳細を示す拡大図
【図３】同上の包装箱の封緘状態を示す斜視図
【図４】同上の引裂帯による開封過程を示す斜視図
【図５】同上の開封状態を示す斜視図
【図６】同上の再封緘状態を示す斜視図
【図７】従来の引裂帯を備えた包装箱の封緘状態を示す斜視図
【符号の説明】
【００２４】
１  底板
２  前板
３  側板
４  後板
５  折込片
６  折曲片
７  フラップ
８  内蓋板
９  外蓋板
１０  スリット
１１  引裂帯
１２  切目列
１３  切目
１４  内向部
１５  外辺部
１６  摘み部
【図１】
2005178820.tif 000003
【図２】
2005178820.tif 000004
【図３】
2005178820.tif 000005
【図４】
2005178820.tif 000006
【図５】
2005178820.tif 000007
【図６】
2005178820.tif 000008
【図７】
2005178820.tif 000009